(57)【要約】      （修正有）【課題】携帯に便利でスピーディーに発熱でき整髪操作が行える携帯用ヘアアイロンを提供する。【解決手段】携帯用ヘアアイロンは、前端がロックの留め合わせ解除により適宜開口状を形成できる本体の、開口の両側の挟持圧接端部のうち一方に、セラミックで被覆された両面発熱する発熱片が設けられ、発熱片が温度センサにより温度を制御回路板にフィードバックし、発熱片に対する温度制御が行われ、制御回路板に磁気センサが設けられ、上下の本体に設けられた磁石の磁気を検出し、信号を発生して制御回路板に回路のオンオフを行わせ、ヘアアイロンのハンドル内部に二次電池が取付けられ、外接電源により充電でき、制御回路板に低作業電圧を提供する。【選択図】図１
0003171847.tif 000002
【実用新案登録請求の範囲】
【請求項１】
携帯用ヘアアイロンにおいて、上ケーシング、下ケーシング、発熱片、及び制御回路板を組み合わせてなり、該上ケーシングと該下ケーシングは一端が枢接されて二つ折り状とされ、ロックで留め合わせ可能で、ロック解除後、前端が適宜開放角度の開口状の挟持圧接端部を形成し、後部の枢接端が握持用のハンドルを形成し、そのうち一つの挟持圧接端部に、上下が断熱綿で被覆され、セラミックで被覆された両面発熱可能な該発熱片が固定され、該発熱片に温度センサが接続されて温度が該制御回路板にフィードバックされて、該発熱片に対する温度制御が行われ、該制御回路板に磁気センサが設けられて該上ケーシングと該下ケーシングに取付けられた磁石の磁気を検出して信号を発生し、該信号により該制御回路板に回路のオンオフ監視制御を行わせ、該ハンドルの内部に二次電池が設けられて、外接電源により該二次電池に充電できることを特徴とする、携帯用ヘアアイロン。
【考案の詳細な説明】
【技術分野】
【０００１】
本考案は一種の携帯用ヘアアイロンに係り、前端がロックの留め合わせ解除により適宜開口状を形成できる本体の、該開口の両側の挟持圧接端部のうち一方に、セラミックで被覆された両面発熱する発熱片が設けられ、該発熱片が温度センサにより温度を制御回路板にフィードバックし、該発熱片に対する温度制御が行われ、該制御回路板に磁気センサが設けられ、上下の本体に設けられた磁石の磁気を検出し、信号を発生して制御回路板に回路のオンオフを行わせ、ヘアアイロンのハンドル内部に二次電池が取付けられ、外接電源により充電でき、制御回路板に低作業電圧を提供し、携帯に便利でスピーディーに発熱でき整髪操作が行える安全で実用的な設計に関する。
【背景技術】
【０００２】
人々が外出時に頭髪を整えるのに、櫛でとくほか、軽便なヘアアイロンが必要であり、現在、一般にヘアアイロンの多くは電源にさし込む必要があるため、外出使用時には不便であり、また、電源電圧と使用の安全の心配があり、さらに研究と設計改良の必要がある。
【考案の概要】
【考案が解決しようとする課題】
【０００３】
本考案は、携帯に便利でスピーディーに発熱でき整髪操作が行える安全で実用的なヘアアイロンを提供することを課題とする。
【課題を解決するための手段】
【０００４】
本考案の携帯用ヘアアイロンは、上ケーシング、下ケーシング、発熱片、及び制御回路板を組み合わせてなり、該上ケーシングと該下ケーシングは一端が枢接されて二つ折り状とされ、ロックで留め合わせ可能で、ロック解除後、前端が適宜開放角度の開口状の挟持圧接端部を形成し、後部の枢接端が握持用のハンドルを形成し、そのうち一つの挟持圧接端部に、上下が断熱綿で被覆され、セラミックで被覆された両面発熱可能な該発熱片が固定され、該発熱片に温度センサが接続されて温度が該制御回路板にフィードバックされて、該発熱片に対する温度制御が行われ、該制御回路板に磁気センサが設けられて該上ケーシングと該下ケーシングに取付けられた磁石の磁気を検出して信号を発生し、該信号により該制御回路板に回路のオンオフ監視制御を行わせ、該ハンドルの内部に二次電池が設けられて、外接電源により該二次電池に充電できることを特徴とする。
【考案の効果】
【０００５】
本考案の構造及び装置は未だ市場及び刊行物上にみられず、携帯に便利な機能を有するほか、安全でスピーディーに発熱できる作用を有し、作用効果上、明らかに改善され、十分に実用新案登録の要件に符合する。
【図面の簡単な説明】
【０００６】
【図１】本考案の実施例の立体図である。
【図２】本考案の開口状の実施例の立体図である。
【図３】本考案の実施例の部分立体分解図である。
【図４】本考案の実施例の別の部分立体分解図である。
【考案を実施するための形態】
【０００７】
本考案の技術内容、構造特徴、達成する目的を詳細に説明するため、以下に実施例を挙げ並びに図面を組み合わせて説明する。
【０００８】
添付の各図面を参照されたい。本考案は、上ケーシング４、下ケーシング２４、発熱片１５及び制御回路板２３が組み合わされてなる。そのうち、上ケーシング４と下ケーシング２４の一端は枢接されて二つ折り状とされ、ロック２で留め合わせることができ、ロック２の留め合わせ解除の後、前端に適宜角度の開口状の挟持圧接端部２８を形成でき、後部の枢接端は握持に供されるハンドル３０を形成する。そのうち、一つの挟持圧接端部２８には、上下が断熱綿２６で被覆されて、セラミックで被覆された両面発熱の発熱片１５が設けられ、且つ発熱片１５は温度センサ１６に接続され、温度を制御回路板２３にフィードバックし、制御回路板２３による発熱片１５に対する温度制御に供し、また、制御回路板２３には磁気センサ２９が設けられ、上ケーシング４、下ケーシング２４に取り付けられた磁石８により磁気検出し、発生した信号により制御回路板２３に回路のオンオフ監視制御を行わせ、また、ヘアアイロンのハンドル３０内部にはさらに二次電池が設けられ、電源に接続して二次電池に対して充電が行える。
【０００９】
実際の操作使用時には、使用者は平時或いは外出前に、電源に接続して本考案の二次電池に対して充電し、スイッチオンの後に、制御回路板２３に適宜低作業電圧を提供できるようにし、その後、ロック２を押動して上ケーシング４と下ケーシング２４を閉じ合わせて、携帯及び収容できるようにする。使用時には、本考案を取り出し並びにロック２を解除すると、上ケーシング４と下ケーシング２４が即刻バネ装置により自動的に適宜開放角度の開口状を呈し、使用者がスイッチオンでき、ハンドル３０を握持して開口状の挟持圧接端部２８で頭髪を挟持し、断熱綿２６の保温断熱作用を利用し、発熱片１５の熱エネルギーを頭髪に伝え、整髪でき、制御回路板２３の制御により、上ケーシング４と下ケーシング２４の未展開時にはスイッチオンできず、且つ磁気センサ２９が上ケーシング４と下ケーシング２４に設けられた磁石８の磁気に対して展開状態を検出し、回路をオンオフさせ、及び一定時間使用しなければ、自動オフし、発熱片１５は温度センサ１６により温度を制御回路板２３にフィードバックして温度制御させ、これにより、携帯に便利な機能のほか、安全でスピーディーに発熱して随時整髪操作が行える特色を有する。
【００１０】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００１１】
２    ロック          ４    上ケーシング    ８    磁石
１５  発熱片          １６  温度センサ      ２３  制御回路板
２４  下ケーシング    ２６  断熱綿          ２８  挟持圧接端部
２９  磁気センサ      ３０  ハンドル
【図１】
0003171847.tif 000003
【図２】
0003171847.tif 000004
【図３】
0003171847.tif 000005
【図４】
0003171847.tif 000006